(57)【要約】      （修正有）【課題】ゴルフクラブヘッドを提供する。【解決手段】ゴルフクラブヘッド１００は、ホーゼル、トップライン１１２、フェース１０２および後方セクション１１４を具備する本体１０４を有し、本体１０４の開口が後方セクション１１４およびフェース１０２の間に設けられ、ソール部材１１８が開口と係合するように設けられ、ソール部材１１８は、前縁１２８をフェース１０２と接触させるソール部分１２６と、本体１０４の後方セクション１１４と接触する曲げ部分１３２と、ソール部分１２６および曲げ部分１３２を結合させるブリッジ部分１３６とを具備する。【選択図】図４
0003220764.tif 000002
【実用新案登録請求の範囲】
【請求項１】
ホーゼル、トップライン、フェースおよび後方セクションを具備する本体と、
上記後方セクションおよび上記フェースの間に設けられる上記本体の開口と、
上記開口と係合するように設けられる少なくとも１つのソール部材とを有し、
上記ソール部材は、前縁を上記フェースと接触させるソール部分と、上記本体の上記後方セクションと接触する曲げ部分と、上記ソール部分および上記曲げ部分を結合させるブリッジ部分とを具備することを特徴とするゴルフクラブヘッド。
【請求項２】
さらに、第１のソール部材および第２のソール部材を有し、上記第１のソール部材および上記第２のソール部材は異なるバウンスプロフィールを具備する請求項１記載のゴルフクラブヘッド。
【請求項３】
上記ブリッジ部分は接地平面に対する角度を有し、当該角度は３０度および６０度の間である請求項１記載のゴルフクラブヘッド。
【請求項４】
上記開口は上記ソール部材によって完全に覆われる請求項１記載のゴルフクラブヘッド。
【請求項５】
上記ソール部分の厚さは１ｍｍから４ｍｍである請求項１記載のゴルフクラブヘッド。
【請求項６】
上記ブリッジ部分の厚さは１ｍｍから４ｍｍである請求項１記載のゴルフクラブヘッド。
【請求項７】
上記ブリッジ部分はブレンド領域によって上記ソール部分と結合され、上記ブレンド領域の幅は１ｍｍから４ｍｍである請求項１記載のゴルフクラブヘッド。
【請求項８】
上記ソール部材は、後縁を上記後方セクションの底部に接触させたソール部分を具備する請求項１記載のゴルフクラブヘッド。
【請求項９】
上記後方セクションと接触する上記後縁の長さは３ｍｍから１０ｍｍである請求項８記載のゴルフクラブヘッド。
【請求項１０】
上記フェースは１．９ｍｍから２．１ｍｍの可変フェース厚さを有する請求項１記載のゴルフクラブヘッド。
【請求項１１】
上記可変フェース厚さは、上記ソールから上記トップラインへと増加する請求項１０記載のゴルフクラブヘッド。
【請求項１２】
さらに、上記後方セクションの中間点を有し、上記ソール部材は上記後方セクションの上記中間点で上記本体に取り付けられる請求項１記載のゴルフクラブヘッド。
【請求項１３】
さらに、上記ソール部材の上記ソール部分のヒールおよびトウを収容するために上記本体に形成されたソールスロットを有する請求項１記載のゴルフクラブヘッド。
【請求項１４】
さらに上記開口の上記ソール部材を上記後方セクションの上記中間点に結合するファスナを有する請求項１記載のゴルフクラブヘッド。
【請求項１５】
ホーゼル、後方セクション、およびフェースを形成する主本体であって、上記フェースはボール打撃面、リーディングエッジ、および背面を具備する、上記主本体と、
上記後方セクションおよび上記フェースの上記背面の間に設けられる上記主本体の開口と、
上記開口の内部に選択的に位置付けられるように形づけられ、上記主本体に取り付けられる少なくとも２つのソール部材とを有し、
上記ソール部材は、前縁を上記フェースの上記背面に接触させるソール部分と、上記主本体の上記後方セクションと接触する曲げ部分と、上記ソール部分および上記曲げ部分を結合させるブリッジ部分とを具備し、
上記ソール部材は異なるバウンスプロフィールを具備することを特徴とするゴルフクラブヘッド。
【請求項１６】
上記ブリッジ部分は接地平面に対する角度を有し、当該角度は３０度および６０度の間である請求項１５記載のゴルフクラブヘッド。
【請求項１７】
上記開口は上記ソール部材によって完全に覆われる請求項１５記載のゴルフクラブヘッド。
【請求項１８】
さらに、上記後方セクションの中間点を有し、上記ソール部材のうちの選択された１つが上記後方セクションの上記中間点で上記主本体に取り付けられる請求項１５記載のゴルフクラブヘッド。
【請求項１９】
さらに上記開口の上記ソール部材を上記後方セクションの上記中間点に結合するファスナを有する請求項１５記載のゴルフクラブヘッド。
【請求項２０】
上記フェースは１．９ｍｍから２．１ｍｍの可変フェース厚さを有する請求項１５記載のゴルフクラブヘッド。
【請求項２１】
上記可変フェース厚さは、上記ソールから上記トップラインへと増加する請求項２０記載のゴルフクラブヘッド。
【請求項２２】
上記ソール部分の厚さは１ｍｍから４ｍｍである請求項１５記載のゴルフクラブヘッド。
【請求項２３】
上記ブリッジ部分の厚さは１ｍｍから４ｍｍである請求項１５記載のゴルフクラブヘッド。
【請求項２４】
さらに、上記ソール部材の上記ソール部分のヒールおよびトウを収容するために上記主本体に形成されたソールスロットを有する請求項１５記載のゴルフクラブヘッド。
【考案の詳細な説明】
【技術分野】
【０００１】
この考案は、改良されたゴルフクラブヘッドに関する。より具体的には、この考案は、交換可能なソールを有するゴルフクラブヘッドに関する。
【背景技術】
【０００２】
ゴルフクラブの設計の複雑さは周知である。クラブの各構成要素（すなわち、クラブヘッド、シャフト、グリップ、およびそれらのサブコンポーネント）の仕様は、クラブの性能に直接影響を及ぼす。したがって、設計仕様を変更することによって、ゴルフクラブを特定の性能特性を有するように調整することができる。
【０００３】
ゴルファにとって、ゴルフのラウンドを完了するのに必要なスイングの総数を減らして、その合計得点を減らすことが、ゴールである。その目的を達成するためには、ゴルファにとっては、同じゴルフクラブが打たれたときにボールが一定の距離だけ飛行し、いくつかのクラブでは、ボールを長い距離だけ飛ばすことが一般に望ましい。例えば、ゴルフボールをわずかにミスヒットしたる場合、ゴルファはゴルフボールが著しく異なる距離を飛ぶことを望まない。同時に、ゴルファは、ボールを打撃するときは、いつでも、全体的な距離が顕著に減少することを望まず、これは、ゴルファがゴルフクラブの「スウィートスポット」でボールを打つときでさえ、そうである。
【０００４】
同一のアイアンタイプのゴルフクラブであっても、スイングするプレーヤが異なれば、その結果も異なる。プレーヤがゴルフクラブをスイングできるスピードは、そのプレーヤのクラブのパフォーマンスを決定する。プレーヤのスイング速度に合うようにフェースパフォーマンスを調整するゴルフクラブを有することが望ましい。さらに、スイングが異なれば芝生との相互作用も異なる。アイアンタイプのゴルフクラブにおいて調整を可能にするソールのフィッティング機構を有するアイアンタイプのゴルフクラブを有することが望ましい。
【０００５】
したがって、プレーヤに対してインパクト時の打ち出し条件および芝生との相互作用を最適化することができるアイアンタイプのゴルフクラブヘッドを有することが望ましい。
【０００６】
なお、特開２０１３−０９４１７２号公報は、ユーザの嗜好等に応じてゴルフクラブヘッドの部品を交換することを開示している。
【先行技術文献】
【特許文献】
【０００７】
【特許文献１】特開２０１３−０９４１７２号公報
【考案の概要】
【０００８】
この考案は、ゴルフクラブの本体に取り付けられたソールを含むゴルフクラブに関する。複数のソール部材が取り付けられて、種々のプレーヤのスイングタイプに対してインパクト時の打ち出し条件を最適化し、また、ソールはプレーヤの芝との相互作用を選定するように変更されて良いことを理解されたい。
【０００９】
この考案の１側面において、ホーゼル、トップライン、フェースおよび後方セクションを具備する本体を有するゴルフクラブヘッドが提供される。本体の開口が、後方セクションおよびフェースの間に設けられ、少なくとも１つのソール部材が、開口と係合するように設けられる。ソール部材は、前縁をフェースと接触させるソール部分と、本体の後方セクションと接触する曲げ部分と、ソール部分および曲げ部分を結合させるブリッジ部分とを具備する。
【００１０】
ゴルフクラブヘッドは、さらに、第１のソール部材および第２のソール部材を有して良く、第１のソール部材および第２のソール部材は異なるバウンスプロフィールを具備する。ブリッジ部分は接地平面に対する角度を有し、当該角度は約３０度および約６０度の間であって良い。開口はソール部材によって完全に覆われて良い。ソール部分の厚さは、好ましくは、約１ｍｍから約４ｍｍである。ブリッジ部分の厚さは、好ましくは、約１ｍｍから約４ｍｍである。ブリッジ部分はブレンド領域によってソール部分と結合され、ブレンド領域の幅は約１ｍｍから約４ｍｍであって良い。ソール部材は、後縁を後方セクションの底部に接触させたソール部分を具備して良い。後方セクションと接触する後縁の長さは約３ｍｍから約１０ｍｍであって良い。フェースは約１．９ｍｍから約２．１ｍｍの可変フェース厚さを有して良い。可変フェース厚さは、ソールから上ップラインへと増加して良い。ソール部材は後方セクションの中間点で本体に取り付けられて良い。ソール部材のソール部分のヒールおよびトウを収容するために本体にソールスロットを形成して良い。さらにファスナが設けられて開口のソール部材を後方セクションの中間点に結合して良い。
【００１１】
この考案の他の側面において、ホーゼル、後方セクション、およびフェースを形成する主本体を有するゴルフクラブヘッドが提供され、フェースはボール打撃面、リーディングエッジ、および背面を具備する。主本体の開口が、後方セクションおよびフェースの背面の間に設けられ、少なくとも２つのソール部材が、開口の内部に選択的に位置付けられるように形づけられ、主本体に取り付けられる。ソール部材は、前縁をフェースの背面に接触させるソール部分と、主本体の後方セクションと接触する曲げ部分と、ソール部分および曲げ部分を結合させるブリッジ部分とを含み、ソール部材は異なるバウンスプロフィールを具備する。
【００１２】
ブリッジ部分は接地平面に対する角度を有し、当該角度は約３０度および約６０度の間であって良い。開口はソール部材によって完全に覆われて良い。ソール部材のうちの選択された１つが後方セクションの中間点で主本体に取り付けられて良い。さらに開口のソール部材を後方セクションの中間点に結合するファスナを設けて良い。フェースは約１．９ｍｍから約２．１ｍｍの可変フェース厚さを有して良い。可変フェース厚さは、ソールからトップラインへと増加して良い。ソール部分の厚さは約１ｍｍから約４ｍｍであって良い。ブリッジ部分の厚さは約１ｍｍから約４ｍｍであって良い。ソール部材のソール部分のヒールおよびトウを収容するために主本体にソールスロットを設けて良い。
【００１３】
この考案のこれらの、または他の特徴、側面、および利点は以下の図面、説明および実用新案登録請求の範囲を参照して理解されるであろう。
【図面の簡単な説明】
【００１４】
この考案の、先の、または他の特徴および利点は、添付図面において図説される、この考案の以下の説明から明らかであろう。添付図面はここに組み入れて明細書の一部を構成し、この考案の原理を説明するのに役立ち、同業者がこの考案を実施することを可能にする。
【００１５】
【図１】この考案のゴルフクラブヘッドの実施例の後方斜視図である。
【図２】図１のゴルフクラブヘッドの分解図である。
【図３】図１のゴルフクラブヘッドの正面図である。
【図４】図３のＢ−Ｂ線に対応する断面図である。
【図５】図１の実施例のフェースを除いた底面後方斜視図である。
【図６】図１の実施例の底面後方断面斜視図である。
【図７】図１のゴルフクラブヘッドの底面図である。
【図８】この考案の他の実施例の断面図である。
【図９】この考案の他の実施例の断面図である。
【図１０】この考案の他の実施例の断面図である。
【考案を実施するための形態】
【００１６】
以下の詳細な説明は、この考案を現状で最も良く考えられた態様で実現するものである。この記載は限定的な意図で把握されるのでなく、単に、この考案の全体的な原理を説明する目的でなされ、この考案の範囲は添付の実用新案登録請求の範囲の記載により最も良く規定される。
【００１７】
以下の説明される種々の考案の特徴は、各々、相互に独立して採用でき、また他の特徴と組みあわされて採用できる。ただし、いずれの１つの考案の特徴も上述した問題のいずれかまたはすべてに対処するものでなくともよく、上述した問題の１つに対処するものであってもよい。さらに上述の問題の１つまたはそれ以上が以下で説明されるいずれの特徴によっても充分に対処されなくとも良い。
【００１８】
図１および図２は、この考案の後方斜視図および分解図を示す。ゴルフクラブヘッド１００が提供され、これは、フェース１０２および本体１０４を具備する。本体１０４は、ヒール部分１０６と、ヒール部分１０６に対向するトウ部分１０８と、ヒール部分１０６のホーゼル１１０と、トップライン１１２と、後方セクション１１４とを具備する。本体１０４における開口１１６が後方セクション１１４およびフェース１０２の間に設けられる。少なくとも１つのソール部材１１８が、クラブヘッド１００のソール１１７の開口１１６と嵌合するように設けられている。図１および図２に示す具体的な実施例において、クラブヘッド１００は、オプションとして、クラブヘッド１００のヒール部分１０６およびトウ部分１０８にそれぞれ設けられたヒールウェイト１２０およびトウウェイト１２２を含む。図示のヒールウェイト１２０は、ヒールウェイト１２０を被覆するヒールキャップ１２４を含んで良い。ソール部材１１８は、フェース１０２の背面１３０（図４）と接触する前縁１２８（図４）を具備するソール部分１２６と、本体１０４の後方セクション１１４の内面１３４（図４）と接触する曲げ部分１３２と、ソール部分１２６および曲げ部分１３２の間に設けられたブリッジ部分１３６とを具備する。
【００１９】
図３は、図１のゴルフクラブヘッドの正面図であり、ゴルフクラブヘッド１００のフェース１０２およびホーゼル１１０を示す。図示されるように、フェース１０２は別個に形成されて良いけれども、本体１０４の一部として形成されて良いことが理解されるであろう。図１から明らかのように、フェース１０２の背面１３０は、トップライン１１２と後方セクション１１４との間に設けられた、本体１０４の後部の第２の開口１３８を通して、見ることができる。この第２の開口１３８は、メダリオンまたはキャップ（図示せず）のような他の部品によって被覆されて良いことを理解されたい。
【００２０】
図４を参照すると、クラブヘッド１００の断面図が、図３の線Ｂ−Ｂに沿って示されている。断面で容易に理解できるように、ソール部材１１８は、クラブヘッド１００の外部に露出する底面１４０と、底面１４０に対向する内面１４２とを具備するソール部分１２６を有する。底面１４０は、プレー中に芝生と接触する、クラブヘッド１００の部分である。好ましくは、ソール部分１２６は水平に配置される。ソール部分１２６は、約１ｍｍ〜約４ｍｍの厚さｔｓを有して良く、図では約２．１ｍｍである。ソール部分１２６の前縁１２８は、フェース１０２の背面１３０と接触するように実装される。これが、ソール部分１２６の前縁１２８に沿った背面１３０との接触点であることを理解されたい。前縁１２８に隣接して、ブレンド領域１４４がある。ブレンド領域１４４は、約１ｍｍ〜４ｍｍの厚さｔｂｒを有し、図では、約２．８ｍｍとして示されている。ブレンド領域１４４は、ソール部分１２６をブリッジ部分１３６に取り付ける。ブレンド領域１４４は、前縁１２８に隣接するテーパーリバウンド１５４を形成する。テーパーリバウンド１５４は、インパクトの間、ブレンド領域１４４とフェース１０２との間の相互作用をもたらし、これがソール部分１２６を下方に移動させ、ブリッジ部分１３６がより垂直になる。クラブがアドレスに保持されているとき、ブリッジ部分１３６は地面ｇに対して角度θを有する。好ましくは、角度θは約３０度〜約６０度の間であり、図２に示す例では約４５度である。ブレンド領域１４４とブリッジ部分１３６との間に形成されるアールｒ１は、約５ｍｍ〜２５ｍｍであり、図示の例では１０ｍｍである。ブリッジ部分１３６は、第１の面１４６と第２の面１４８とを有する。ブリッジ部分１３６の第１の面１４６と第２の面１４８との間の厚さｔｂｒは約１ｍｍ〜約４ｍｍであり、図示の例では約２．８５ｍｍである。ブリッジ部分１３６は、曲げ部分１３２に取り付けられている。好ましくは、曲げ部分１３２は、垂直に配置されている。曲げ部分１３２は、任意の適切な厚さｔｂ、好ましくは約１ｍｍ〜約４ｍｍを有して良いことを理解されたい。図示の例では、曲げ部分１３２の厚さｔｂは約３．４ｍｍである。ブリッジ部分１３６と曲げ部分１３２との間には、約１ｍｍ〜１０ｍｍの第２のアールｒ２が設けられ、図示の例ではこれが約２ｍｍである。曲げ部分１３２は、クラブヘッド１００の後方セクション１１４に内面１３４で結合されている。好ましくは、曲げ部分１３２は、約３ｍｍから約１０ｍｍの距離ｄにわたって、後方セクション１１４に結合され、図示の例ではこの距離ｄは約５．３ｍｍである。後方セクション１１４は、好ましくは、約１ｍｍ〜約６ｍｍの厚さｔｂｐを有し、図示の例ではこの暑さは約５ｍｍである。図１および図２から理解されるように、ソール部材１１８の曲げ部分１３２は、曲げ部分１３２の長さｌにわたって本体の後方セクション１１４結合されている。好ましくは、結合は、約１００ｍｍ２〜約５００ｍｍ２の面積にわたり、図示の例では約１７５ｍｍ２である。ソール部材１１８は、好ましくは、曲げ部分１３２と本体１０４の後方セクション１１４との間の接続部において、クラブヘッド１００の本体１０４に取��付けられることを理解されたい。好ましくは、本体１０４の後方セクション１１４の内面１３４の中間点１５０は、ソール部材１１８の曲げ部分１３２に取り付けられる。この取り付けは、溶接またはファスナなどの任意の適切な手段によって達成されて良い。ソール部材１１８が曲げ部分１３２および後方セクション１１４で本体１０４に取り付けられているので、ゴルフボールがフェース１０２に当たるとき、ソール部分１２６は下方に撓み、インパクト時にブリッジ部分１３６をより垂直にすることを理解されたい。当業者であれば、曲げ部分１３２のクラブヘッド１００の後方セクション１１４への取り付けは、好ましくは、クラブヘッド１００のフェース１０２の背面１３０に対して予荷重されていないことを理解するであろう。
【００２１】
ここで、図５〜図７を参照すると、ソール部材１１８と、その本体１０４との結合が示されている。ソール部材１１８のソール部分１２６を受け入れるために、ソールスロット１５６が本体１０４のヒール部分１０６およびトウ部分１０８に設けられている。ソールスロット１５６は、ソール部分１２６のヒール１６２側およびトウ１６４側の端面１６６と相互作用するレール部分１５８およびスライド部分１６０を形成する。図６の断面図に示されるように、レール部分１５８は、ソール部分１２６の端面１６６と係合する。レール部分１５８は、ソール部材１１８をクラブヘッド１００の本体１０４の開口１１６に案内し、ソール部材１１８がゴルフボールとのインパクトの間に捻じれないようにする。したがって、ソール部材１１８のソール部分１２６は、インパクト中に、中心から外れたヒットの間に捻れることなく、下方に撓むことができる。
【００２２】
図１〜図７の実施例において、ソール部分１２６の内面１４２およびブリッジ部分１３６の第２の面１４８は、ソール部分１２６が、その後縁１５２を後方セクション１１４の底部１５３に接触させるように、本体１０４の後方セクション１１４によって完全に覆われている。図８に示す代替的な実施例において、後方セクション１１４はソール部分１２６の内面１４２およびブリッジ部分１３６の第２の面１４８を覆わない。図８に示す実施例においては、ブリッジ部分１３６が露出され、観察可能である。したがって、図８の実施例においては、後方セクション１１４はソール部材１１８のソール部分１２６に結合されない。さらに図８の実施例においては、ブレンド領域１４４が、フェース１０２の背面１３０と接触し、ソール部分１２６の前縁１２８の部分と接触していない。
【００２３】
２以上のソール部材１１８が設けられて良く、もって、第１のソール部材１１８と第２のソール部材１１８とが異なるバウンスプロファイルを有して良いことを理解されたい。ソール部材１１８は、開口１１６内に選択的に配置され、本体１０４に取り付けられるように形成される。先に説明したソール部材１１８は、フェース１０２の背面１３０と接触する前縁１２８を有するソール部分１２６と、本体１０４の後方セクション１１４と接触する曲げ部分１３２と、ソール部分１２６および曲げ部分１３２の間に設けられたブリッジ部分１３６とを含む。好ましくは、ソール部材１１８は、異なるバウンスプロファイルを有する。したがって、異なるソール部材１１８が、同じクラブに異なるゴルファを適合させるために使用されて良いことが想定される。代替的には、異なるソール部材１１８が、単一のプレーヤのためにゴルフクラブを修正するために使用されて良い。フィッティングまたはプレイアビリティの目的のために、クラブヘッド１００に、複数のソール部材１１８が設けられて良いことが想定される。異なるソール部材１１８は、様々な異なる特性を有して良い。例えば、ソール部材１１８のソール部分１２６は、バウンス角、キャンバーまたはソール幅を含む特性の１つまたは複数が異なって良い。
【００２４】
この考案のさらに別の実施例を図９に示す。この実施例において、クラブヘッド１００の断面が示されている。ソール部材１１８のソール部分１２６は、この実施例においては、曲げ部分１３２およびブリッジ部分１３６に対してより厚い。さらに、図９の実施例におけるブリッジ部分１３６は、厚さｔｂｒに関してテーパ付けられていることがわかる。具体的には、この実施例において、ブリッジの厚さｔｂｒに関しては、ソール部分１２６に隣接している部分が曲げ部分１３２に隣接している部分より薄い。好ましくは、ブリッジ部分１３６は、曲げ部分１３２に隣接する部分からソール部分１２６に隣接する部分へと連続的に先細になる厚さｔｂｒを有する。
【００２５】
他の実施例が図１０に示される。この実施例において、曲げ部分１３２は、ブリッジ部分１３６およびソール部分１２６に対してより厚い。この実施例のフェース１０２は、可変フェース厚さに特徴がある。図示されているように、フェース１０２の厚さｔｆが、ソール１１７に隣接するフェース１０２の底部からトップライン１１２に隣接するフェース１０２の上部へと大ききなるように、好ましくは１．６ｍｍから２．４ｍｍへと大きくなるように、フェース１０２の厚さｔｆが変化する。図示の例では、厚さｔｆは、ソール１１７に隣接する約１．９ｍｍからトップライン１１２に隣接する約２．１ｍｍまで変化する。この考案を組み込んだ任意の実施例は、可変フェース厚さを有して良いことを理解されたい。
【００２６】
ソール部材１１８は、ソール部分１２６、ブレンド領域、ブリッジ部分１３６、および曲げ部分１３２を有し、好ましくはワンピースとして形成されることを理解されたい。しかしながら、それらは別々に形成され、任意の適切な方法によって互いに付着されて良い。ここで使用されるように、用語「結合された」は、隣接することを意味するように使用され、これらの部品は互いに付着していてもいなくてもよいことを理解されたい。
【００２７】
ゴルフクラブヘッド１００は、金属材料であれ非金属材料であれ、当技術分野で知られているように、任意のタイプの材料またはそれらの組み合わせから製造されて良いことを理解されたい。例えば、図１および図２の実施例において、ヒールウェイトおよびトウウェイトは、より高い比重を有する材料で作られる。この比重は、好ましくは、約１４ｇ／ｃｃであり、例えばタングステンを用いる。本体１０４、ソール部材１１８、およびヒールキャップ１２４は、好ましくは１７−４スチールのようなスチールで製造され、フェース１０２は好ましくはＡｅｒｍｅｔ  ３４０スチールで製造される。
【００２８】
ゴルフクラブヘッド１００の本体１０４は、鋳造、鍛造または機械加工を含む任意の公知の方法によって製造して良い。ソール部材１１８は、キャスティング、シートからのスタンピング、または鍛造を含む、任意の既知の方法によって製造して良い。当技術分野で知られているように、本体１０４のフェース１０２は、鋳造または鍛造などによって別個に形成され、クラブヘッド１００の本体１０４に取り付けられてもよいことが理解されよう。例えば、フェース１０２は、本体１０４に溶接されて良い。
【００２９】
作業例における他の事柄、または、とくに明言しなくとも、すべての数値範囲、量、値、百分率、例えば材料の量、慣性モーメント、重心位置、ロフト、ドラフト角、種々の性能比についてのこれら、および明細書中の他のものは、たとえ、その値、量または範囲に関連して用語「約」が表示されていなくとも、「約」がその前に配置されているように読むことができる。したがって、そうでないと示されていない限り、明細書および実用新案登録請求の範囲に表される数のパラメータは近似的であり、これは、この考案により得られることが企図される所望の特性に応じて変化する。最低限でも、もちろん均等論の適用を制約するものではないが、各数のパラメータは記録されている有効数字の数や通常の丸め処理に照らして解釈されるべきである。
【００３０】
この考案の広範な範囲を示す数的範囲およびパラメータは近似的であるけれども、具体例において示された数値は可能な限り正確に記録した。任意の数値は、それでも、それぞれのテスト計測に見いだされる標準偏差に必然的に起因する誤差を含む。さらに、種々のスコープの数値範囲が示される場合には、例示された値を含めた値の任意の組み合わせが利用できると理解されたい。
【００３１】
もちろん、先のものはこの考案の事例の実施例に関するものであり、実用新案登録請求の範囲に記載されたこの考案の趣旨および範囲から逸脱しない範囲で修正を行うことができることに留意されたい。
【符号の説明】
【００３２】
１００    ゴルフクラブヘッド
１０２    フェース
１０４    本体
１０６    ヒール部分
１０８    トウ部分
１１０    ホーゼル
１１２    トップライン
１１４    後方セクション
１１６    開口
１１７    ソール
１１８    ソール部材
１２０    ヒールウェイト
１２２    トウウェイト
１２４    ヒールキャップ
１２６    ソール部分
１２８    前縁
１３０    背面
１３２    曲げ部分
１３４    内面
１３６    ブリッジ部分
１３８    第２の開口
１４０    底面
１４２    内面
１４４    ブレンド領域
１４６    第１の面
１４８    第２の面
１５０    中間点
１５２    後縁
１５３    底部
１５４    テーパーリバウンド
１５６    ソールスロット
１５８    レール部分
１６０    スライド部分
１６２    ヒール
１６４    トウ
１６６    端面
【図１】
0003220764.tif 000003
【図２】
0003220764.tif 000004
【図３】
0003220764.tif 000005
【図４】
0003220764.tif 000006
【図５】
0003220764.tif 000007
【図６】
0003220764.tif 000008
【図７】
0003220764.tif 000009
【図８】
0003220764.tif 000010
【図９】
0003220764.tif 000011
【図１０】
0003220764.tif 000012
【手続補正書】
【提出日】平成31年1月29日(2019.1.29)
【手続補正１】
【補正対象書類名】実用新案登録請求の範囲
【補正対象項目名】全文
【補正方法】変更
【補正の内容】
【実用新案登録請求の範囲】
【請求項１】
ホーゼル、トップライン、フェースおよび後方セクションを具備する本体と、
上記後方セクションおよび上記フェースの間に設けられる上記本体の開口と、
上記開口と係合するように設けられる少なくとも１つのソール部材とを有し、
上記ソール部材は、前縁を上記フェースと接触させるソール部分と、上記本体の上記後方セクションと接触する曲げ部分と、上記ソール部分および上記曲げ部分を結合させるブリッジ部分とを具備することを特徴とするゴルフクラブヘッド。
【請求項２】
さらに、第１のソール部材および第２のソール部材を有し、上記第１のソール部材および上記第２のソール部材は異なるバウンスプロフィールを具備する請求項１記載のゴルフクラブヘッド。
【請求項３】
上記ブリッジ部分は接地平面に対する角度を有し、当該角度は３０度および６０度の間である請求項１記載のゴルフクラブヘッド。
【請求項４】
上記開口は上記ソール部材によって完全に覆われる請求項１記載のゴルフクラブヘッド。
【請求項５】
上記ソール部分の厚さは１ｍｍから４ｍｍである請求項１記載のゴルフクラブヘッド。
【請求項６】
上記ブリッジ部分の厚さは１ｍｍから４ｍｍである請求項１記載のゴルフクラブヘッド。
【請求項７】
上記ブリッジ部分はブレンド領域によって上記ソール部分と結合され、上記ブレンド領域の幅は１ｍｍから４ｍｍである請求項１記載のゴルフクラブヘッド。
【請求項８】
上記ソール部材は、後縁を上記後方セクションの底部に接触させたソール部分を具備する請求項１記載のゴルフクラブヘッド。
【請求項９】
上記後方セクションと接触する上記後縁の長さは３ｍｍから１０ｍｍである請求項８記載のゴルフクラブヘッド。
【請求項１０】
上記フェースは１．９ｍｍから２．１ｍｍの可変フェース厚さを有する請求項１記載のゴルフクラブヘッド。
【請求項１１】
上記可変フェース厚さは、上記ソール部材から上記トップラインへと増加する請求項１０記載のゴルフクラブヘッド。
【請求項１２】
さらに、上記後方セクションの中間点を有し、上記ソール部材は上記後方セクションの上記中間点で上記本体に取り付けられる請求項１記載のゴルフクラブヘッド。
【請求項１３】
さらに、上記ソール部材の上記ソール部分のヒールおよびトウを収容するために上記本体に形成されたソールスロットを有する請求項１記載のゴルフクラブヘッド。
【請求項１４】
さらに上記開口の上記ソール部材を上記後方セクションの中間点に結合するファスナを有する請求項１記載のゴルフクラブヘッド。
【請求項１５】
ホーゼル、後方セクション、およびフェースを形成する主本体であって、上記フェースはボール打撃面、リーディングエッジ、および背面を具備する、上記主本体と、
上記後方セクションおよび上記フェースの上記背面の間に設けられる上記主本体の開口と、
上記開口の内部に選択的に位置付けられるように形づけられ、上記主本体に取り付けられる少なくとも２つのソール部材とを有し、
上記ソール部材は、前縁を上記フェースの上記背面に接触させるソール部分と、上記主本体の上記後方セクションと接触する曲げ部分と、上記ソール部分および上記曲げ部分を結合させるブリッジ部分とを具備し、
上記ソール部材は異なるバウンスプロフィールを具備することを特徴とするゴルフクラブヘッド。
【請求項１６】
上記ブリッジ部分は接地平面に対する角度を有し、当該角度は３０度および６０度の間である請求項１５記載のゴルフクラブヘッド。
【請求項１７】
上記開口は上記ソール部材によって完全に覆われる請求項１５記載のゴルフクラブヘッド。
【請求項１８】
さらに、上記後方セクションの中間点を有し、上記ソール部材のうちの選択された１つが上記後方セクションの上記中間点で上記主本体に取り付けられる請求項１５記載のゴルフクラブヘッド。
【請求項１９】
さらに上記開口の上記ソール部材を上記後方セクションの中間点に結合するファスナを有する請求項１５記載のゴルフクラブヘッド。
【請求項２０】
上記フェースは１．９ｍｍから２．１ｍｍの可変フェース厚さを有する請求項１５記載のゴルフクラブヘッド。
【請求項２１】
上記可変フェース厚さは、上記ソール部材からトップラインへと増加する請求項２０記載のゴルフクラブヘッド。
【請求項２２】
上記ソール部分の厚さは１ｍｍから４ｍｍである請求項１５記載のゴルフクラブヘッド。
【請求項２３】
上記ブリッジ部分の厚さは１ｍｍから４ｍｍである請求項１５記載のゴルフクラブヘッド。
【請求項２４】
さらに、上記ソール部材の上記ソール部分のヒールおよびトウを収容するために上記主本体に形成されたソールスロットを有する請求項１５記載のゴルフクラブヘッド。